(57)【特許請求の範囲】
【請求項１】
下端部が椅子本体の取付部に着脱可能に取り付けられる左右一対の縦杆と該縦杆の中間部位間を繋ぐ横杆とからなる略Ｈ形の背フレームと、背フレームに上から被せられて背フレームに固定される袋状の張地とを備え、背フレームは、その下端部間距離を取付部間距離よりも大きく設定するとともに、背フレームの上端間距離を張地に張りを与える寸法よりも小さく設定し、且つ、椅子本体への取付け時に横杆を支点として背フレームの下端部間距離を狭めるように力を加えたとき背フレームの上端間隔が拡がるように形成したことを特徴とする椅子の背もたれ構造。
【請求項２】
縦杆の上部が後方に湾曲しており、横杆の中央部が後方に湾曲していることを特徴とする請求項１記載の椅子の背もたれ構造。
【請求項３】
張地がその下端開口部にファスナーを有し、該ファスナーを横杆の下面に沿って封止することにより張地が背フレームに固定されるようになっていることを特徴とする請求項１又は２記載の椅子の背もたれ構造。
【発明の詳細な説明】
【０００１】
【発明の属する技術分野】
本発明は椅子の背もたれ構造に関する。
【０００２】
【従来の技術】
従来、背もたれを有する椅子、例えばロビーチェア等においては、座部を有する椅子本体に背もたれ用の木枠を固定して設け、この木枠に固定した合板、プラスチック等からなる心材にウレタンからなるクッション材を載せ、その上に縫合した布を被せて固定することにより背もたれを構成している。
【０００３】
【発明が解決しようとする課題】
しかし、上述した従来の背もたれは異種材料を多用しており且つ多数の部材を固定しているため、椅子の廃棄時にその分解に手間がかかり、粗大ゴミとなる可能性が高い。
【０００４】
したがって、本発明の目的は、部材数が少なく、材料ごとの分別廃棄が容易であるとともに、使い心地の良好な椅子の背もたれ構造を提供することにある。
【０００５】
【課題を解決するための手段】
上記課題を解決するために、本発明は、下端部が椅子本体の取付部に着脱可能に取り付けられる左右一対の縦杆と該縦杆の中間部位間を繋ぐ横杆とからなる略Ｈ形の背フレームと、背フレームに上から被せられて背フレームに固定される袋状の張地とを備え、背フレームは、その下端部間距離を取付部間距離よりも大きく設定するとともに、背フレームの上端間距離を張地に張りを与える寸法よりも小さく設定し、且つ、椅子本体への取付け時に横杆を支点として背フレームの下端部間距離を狭めるように力を加えたとき背フレームの上端間隔が拡がるように形成したことを特徴とする椅子の背もたれ構造を提供する。
【０００６】
上記構成によれば、背もたれが椅子本体に着脱可能に取り付けられているので、背もたれの交換や椅子の分解廃棄、保管、梱包、運搬等が容易になる。また、背もたれが背フレームと張地のみからなり、両者の分離も可能であるので、材料ごとの分別廃棄が容易となる。さらに、背フレームはその下端部間距離を取付部間距離よりも大きく設定するとともに、背フレームの上端間距離を張地に張りを与える寸法よりも小さく設定し、且つ、椅子本体への取付け時に横杆を支点として背フレームの下端部間距離を狭めるように力を加えたとき背フレームの上端間隔が拡がるように形成されているので、張地を背フレームに被せるときは背フレームの縦杆の上端間距離を狭めた状態で縦杆を張地内に楽に挿入でき、且つ、背フレームを椅子本体に取り付けるときは、椅子本体の取付部間距離よりも大きく設定してある縦杆の下端部に適度の力を加えて該下端間距離を狭めることにより、縦杆の上端間距離を拡げることができるので、張地の特に上端部に張りをもたせることができ、容易にたるみを防止できる。したがって、背もたれの美観を向上させることことができるとともに、使い心地の良好な椅子の背もたれ構造を提供することができる。
【０００７】
好ましくは、縦杆の上部が後方に湾曲しており、横杆の中央部が後方に湾曲している。かかる構成によれば、張地の上部が後方に湾曲して縦杆に支持されるので、着座者が上体を立てた姿勢のときも、また、上体を後方に傾けた姿勢のときも着座者の背中を張地で効果的に支えることができる。また、横杆の中央部が後方に湾曲しているので、着座者の腰のあたりを張地で包み込むように支えることができるとともに、着座者が深く腰をかけたときに横杆が腰に当たることを防止できる。したがって一層座り心地の良い椅子の背もたれ構造を提供することができる。
【０００８】
また好ましくは、張地がその下端開口部にファスナーを有し、該ファスナーを横杆の下面に沿って封止することにより張地が背フレームに固定されるようになっている。かかる構成により、背フレームに上から被せた張地を容易に背フレームに固定することができるとともに、張地の下端開口部を横杆の下の目立たぬ箇所で封止できるので美観に優れたものとなる。また、張地の縦幅サイズを適度に設定しておけば、張地にその横方向ほぼ全区間にわたりほぼ均等な縦方向のテンションを容易に与えることができ、たるみを防止できる。
【０００９】
【発明の実施の形態】
以下、図面を参照して本発明の好ましい実施形態を説明する。
【００１０】
【実施例】
図１から図６までは本発明をロビーチェアに適用した場合の一実施例を示すものである。図１は椅子の斜視図であり、図２（ａ），（ｂ），（ｃ）はそれぞれ図１に示す椅子の正面図、右側面図及び平面図である。図３は図１に示す椅子の椅子本体と背もたれの取付構造を示す図２（ａ）中３−３線に沿った一部破断要部断面図であり、図４は図１に示す椅子の図２（ｃ）中４−４線に沿った一部破断要部断面図であり、図５は図１に示す椅子の背もたれの張地下端開口部の封止構造を概略的に示す要部縦断面図であり、図６（ａ），（ｂ）は図１に示す椅子の背もたれの取り付け方法を模式的に示す説明図である。
【００１１】
はじめに図１〜図４を参照すると、椅子は椅子本体１０とこの椅子本体１０に着脱可能に取り付けられる背もたれ３０を有し、椅子本体１０は座枠１１と座枠の下部に取り付けられた４本の脚部１２と、座枠１１に被せられる袋状の座部上張１３と、座枠１１と座部上張１３との間に介在される袋状のクッション材１４と、クッション材１４の下面を支える座下ネット材１５と、座下ネット材１５を座枠１１の上部に取り付けるための支持杆１６とを有している。
【００１２】
図３及び図４に示すように、座枠１１は前後及び左右の側板１７と、左右一対の底板１８と、左右の側板１７の前端近傍の内面に沿ってそれぞれ底板１８上に取り付けられた前ブロック１９と、左右の側板１７の後端近傍の内面に沿ってそれぞれ底板１８上に取り付けられた後ブロック２０とを有しており、脚部１２は座枠１１の底板１８に形成された取付孔に挿入保持されるとともに底板１８の下面にネジ止めされている。
【００１３】
座下ネット材１５の両端にはそれぞれ支持杆１６を挿通可能な筒状部１５ａ，１５ｂが形成されており、座枠１１の前ブロック１９及び後ブロック２０にはそれぞれ支持杆１６の両端を嵌合保持する嵌合溝１９ａ，２０ａが形成されている。したがって、座下ネット材１５はその筒状部１５ａ，１５ｂに挿通した支持杆１６，１６の両端を前ブロック１９及び後ブロック２０の嵌合溝１９ａ，２０にそれぞれ嵌合させることにより、座枠１１に対し着脱可能に両端支持させることができる。クッション材１４はポリエステル綿からなる袋状部分１４ａと、その頂面部内面に接着されたウレタン等からなるクッション体１４ｂとからなっている。座部上張１３はその下端開口に紐通し部１３ａを有しており、この紐通し部１３ａに通した紐２１を座枠１１の下で締め込んで縛ることにより、座部上張１３を座枠１１に固定できるようになっている。
【００１４】
図示実施例の椅子本体１０は以上のように構成されているので、組立及び分解が容易であり、部材ごとの分別廃棄や座部上張１３等の交換を容易に行うことができる。
【００１５】
図１〜図４に示すように、背もたれ３０は略Ｈ形の背フレーム３１と、下端が開口した袋状の張地３２とを備えており、背フレーム３１は下端部が椅子本体１０の座枠１１に着脱可能に取り付けられる左右一対の縦杆３３，３３と、両縦杆３３，３３間を繋ぐ横杆３４とからなっている。この実施例では、左右の縦杆３３，３３はそれぞれ同一形状の２本の金属パイプ３３ａ，３３ｂを並べて例えば溶接により互いに接合したものとなっている。また、縦杆３３を構成する２本の金属パイプ３３ａ，３３ｂは上部が後方に湾曲したものとなっており、横杆３４は中央部が後方に湾曲したものとなっている。張地３２はその下端開口部にファスナー３５を備えている。この張地３２は、背フレーム３１に上から被せられた後、図５に示すように、その下端開口部をファスナー３５により横杆３４の下面に沿って封止することにより、背フレーム３１に固定されるようになっている。この実施例の張地３２はネット材で形成されているが、織り布、樹脂シート等で形成してもよい。
【００１６】
図３及び図４に示すように、座枠１１の左右一対の後ブロック２０にはそれぞれ縦杆３３を構成する２本の金属パイプ３３ａ，３３ｂの下端部を受容する取付孔２０ｂが形成されている。また、座部上張１３及びクッション材１４にも２本の金属パイプ３３ａ，３３ｂの下端部を通す通孔が形成されている。さらに、縦杆３３を構成する一方の金属パイプ３３ａの下端内面には底板１８の下方から底板１８に形成された通孔に挿通された固定ネジ２１を螺合させるためのネジ溝が形成されている。したがって、座枠１１の取付孔２０ｂに背フレーム３１の縦杆３３を挿入し底板１８に当接させた後、その一方の金属パイプ３３ａの下端に底板１８の下から底板１８の通孔に通した固定ネジ２１を螺合させて締め込むことにより、背もたれ３０の背フレーム３１を椅子本体１０の座枠１１に着脱可能に固定することができる。
【００１７】
図６（ａ）に誇張して示すように、本発明の特徴をなす背フレーム３１は椅子本体１０の座枠１１に取り付けられる際に縦杆３３の下端間距離を狭めることにより横杆３４を支点として縦杆３３の上端間距離を拡げ張地３２の上端に横方向のテンションを与えることができるように構成されている。すなわち、左右の縦杆３３，３３はその下端間距離が座枠１１の取付孔２０ｂ，２０ｂ間距離よりも若干大きくなるように、横杆３４に対しハの字状に取り付けられており、これにより、縦杆３３，３３の上端間距離は張地３２の横幅距離よりも若干狭くなっているので、縦杆３３，３３の上端を袋状の張地３２の中に容易に挿入することができる。そして、縦杆３３，３３に張地３２を被せて固定した後、縦杆３３，３３の下端を座枠１１の取付孔２０ｂ，２０ｂに挿入する際に横杆３４を支点にして縦杆３３，３３の下端間距離を狭めることにより、縦杆３３，３３の上端間距離を拡げることができるので、縦杆３３，３３により張地３２の上端に横方向のテンションを与えることができ、張地３２の上端に張りを持たせることができる。
【００１８】
上記構成によれば、背フレーム３１と張地３２とからなる背もたれ３０を椅子本体１０から容易に分離させることができるので、背もたれ３０の交換や椅子の分解廃棄が容易となる。また、背もたれ３０が背フレーム３１と張地３２のみからなり、両者の分離も容易であるので、材料ごとの分別廃棄が容易となる。
【００１９】
さらに、上述したように、背フレーム３１を椅子本体１１に取り付ける際に横杆３４を支点として縦杆３３，３３の下端間の間隔を狭めることにより縦杆３３，３３の上端間の間隔を拡げ張地３２の上端に横方向のテンションを与えることができるので、張地３２を背フレーム３１に被せるときは背フレーム３１の上端を張地３２内に楽に挿入でき、且つ、背フレーム３１を椅子本体１０に取り付けたときは張地３２の特に上端部に適度な張りをもたせることができ、たるみを防止できるので、背もたれ３０の美観及び使い心地を向上させることことができる。
【００２０】
また、上記構成の背もたれ３０は、縦杆３３，３３の上部が後方に湾曲しているので、着座者が上体を立てた姿勢のときも、また、上体を後方に傾けた姿勢のときも着座者の背中を張地３２で効果的に支えることができる。また、横杆３４の中央部が後方に湾曲しているので、着座者の腰のあたりを張地３２で包み込むように支えることができるとともに、着座者が深く腰をかけたときに横杆３４が腰に当たることを防止できる。したがって座り心地を一層向上させることができる。
【００２１】
また、張地３２はその下端開口部を横杆３４の下面に沿ってファスナー３５で封止することにより、容易に背フレーム３１に固定することができる。また、張地３２の下端開口部を横杆３４の下の目立たぬ箇所で封止できるので美観に優れたものとなる。また、張地３２の縦幅サイズを適度に設定しておけば、張地３２にその横方向ほぼ全区間にわたりほぼ均等な縦方向のテンションを容易に与えることができ、たるみを防止できる。
【００２２】
以上、図示実施例につき説明したが、本発明は上記実施例の態様のみに限定されるものではなく、例えば背フレーム３１は略Ｈ形に形成されていればよく、したがって、背フレーム３１の縦杆３３は１本のパイプ状又は中実構造の棒材で構成してもよい。また、左右一対の縦杆３３，３３と横杆３４とを１本の棒材の曲げ加工により形成してもよい。さらに本発明はロビーチェア以外の如何なる椅子にも適用可能であるので、椅子本体は椅子の用途に応じて適宜に構成することができる。、また、椅子本体への背フレームの取り付け形態にも種々の変更を加えることができる。
【００２３】
【発明の効果】
以上の説明から明らかなように、本発明による椅子の背もたれ構造は、下端部が椅子本体の取付部に着脱可能に取り付けられる左右一対の縦杆と該縦杆の中間部位間を繋ぐ横杆とからなる略Ｈ形の背フレームと、背フレームに上から被せられて背フレームに固定される袋状の張地とを備え、背フレームは、その下端部間距離を取付部間距離よりも大きく設定するとともに、背フレームの上端間距離を張地に張りを与える寸法よりも小さく設定し、且つ、椅子本体への取付け時に横杆を支点として背フレームの下端部間距離を狭めるように力を加えたとき背フレームの上端間距離が広がるように形成されていることを特徴とするものであるので、背もたれを椅子本体から容易に分離させることができ、その交換や椅子の分解廃棄、保管、梱包、運搬等が容易になる。また、背もたれが背フレームと張地のみからなり、両者の分離も容易であるので、材料ごとの分別廃棄が容易となる。さらに、背フレームは椅子本体に取り付けられる際に横杆を支点として縦杆の下端間距離を狭めることにより縦杆の上端間距離を拡げることができるので、張地を背フレームに被せるときは背フレームの縦杆の上端間距離を狭めた状態で縦杆を張地内に楽に挿入でき、且つ、背フレームを椅子本体に取り付けたときは縦杆の上端間距離が拡げられることにより、張地の特に上端部に張りをもたせることができ、たるみを防止できる。したがって、背もたれの美観を向上させることことができるとともに、使い心地の良好な椅子の背もたれ構造を提供することができる。
【００２４】
また、上記縦杆の上部が後方に湾曲し、横杆の中央部が後方に湾曲した構成とした場合、張地の上部が後方に湾曲して縦杆に支持されるので、着座者が上体を立てた姿勢のときも、また、上体を後方に傾けた姿勢のときも着座者の背中を張地で効果的に支えることができる。また、横杆の中央部が後方に湾曲しているので、着座者の腰のあたりを張地で包み込むように支えることができるとともに、着座者が深く腰をかけたときに横杆が腰に当たることを防止できる。したがって一層座り心地の良い椅子の背もたれ構造を提供することができる。
【００２５】
さらに、張地の下端開口部が横杆の下面に沿ってファスナーで封止される構成とした場合、背フレームに上から被せた張地を容易に背フレームに固定することができるとともに、張地の下端開口部を横杆の下の目立たぬ箇所で封止できるので美観に優れたものとなる。また、張地の縦幅サイズを適度に設定しておけば、張地にその横方向ほぼ全区間にわたりほぼ均等な縦方向のテンションを容易に与えることができ、たるみを防止できる。したがって一層座り心地の良い椅子の背もたれ構造を提供することができる。
【図面の簡単な説明】
【図１】本発明をロビーチェアに適用した場合の一実施例を示す椅子の斜視図である。
【図２】（ａ），（ｂ），（ｃ）はそれぞれ図１に示す椅子の正面図、右側面図及び平面図である。
【図３】図１に示す椅子の椅子本体と背もたれの取付構造を示す図２（ａ）中３−３線に沿った一部破断要部断面図である。
【図４】図１に示す椅子の図２（ｃ）中４−４線に沿った一部破断要部断面図である。
【図５】図１に示す椅子の背もたれの張地下端開口部の封止構造を概略的に示す要部縦断面図である。
【図６】（ａ），（ｂ）は図１に示す椅子の背もたれの取り付け方法を模式的に示す説明図である。
【符号の説明】
１０    椅子本体
１１    座枠
１２    脚部
１３    座部上張
１４    クッション材
１７    側板
１８    底板
１９    前ブロック
２０    後ブロック
２０ｂ    取付孔
２１    固定ネジ
３０    背もたれ
３１    背フレーム
３２    張地
３３    縦杆
３３ａ，３３ｂ    金属パイプ
３４    横杆
３５    ファスナー
【図１】
0003555104.tif 000002
【図２】
0003555104.tif 000003
【図３】
0003555104.tif 000004
【図４】
0003555104.tif 000005
【図５】
0003555104.tif 000006
【図６】
0003555104.tif 000007